(57)【要約】【課題】発射ハンドルの取付作業効率を向上することができる遊技機を実現する。【解決手段】発射ハンドル４のベース部材４１の外周面には雄ねじ部４９が刻まれており、前枠本体２に備えられた取付部５０の筒部材５１の内周面には雌ねじ部５３が刻まれている。発射ハンドル４のベース部材４１の内部には、コイルスプリング４８により後方に付勢された接続端子４７が収容されている。接続端子４７の後端面には３本の導電リングが同心円状に埋設されている。筒部材５１の底部には接続円板５４が設けられており、その接続円板５４の前端面には、上記各導電リングと電気的接続される３本の導電リングが埋設されている。発射ハンドル４を取付部５０にねじ込むだけで発射ハンドル４を前枠本体２に取付けることができるとともに、発射ハンドル４と発射駆動基板とを電気的接続できる。【選択図】  図８
2004160046.tif 000002
【特許請求の範囲】
【請求項１】
遊技機本体と、
この遊技機本体に備えられた遊技盤と、
この遊技盤へ遊技球を発射する発射装置と、
前記遊技機本体に取付けられており、前記発射装置を起動するための電気信号を前記発射装置へ出力する発射ハンドルとを備えており、
前記発射ハンドルに設けられた発射レバーを回転させることにより、前記発射装置の前記遊技球を発射する強度を調節する遊技機において、
前記発射ハンドルには、
前記発射ハンドルを前記遊技機本体に取り付けるための第１の取付け部と、
前記発射装置と電気的に接続するための第１の接続部とが備えられており、
前記遊技機本体には、
前記第１の取付け部を取付けるための第２の取付け部と、
前記第１の接続部と電気的に接続するための第２の接続部とが備えられており、
前記第１の接続部および前記第２の接続部は、前記第１の取付け部を前記第２の取付け部に取付けることによって電気的に接続され、かつ、前記第１の接続部および前記第２の接続部の少なくとも一方は、前記第１の取付け部の取付け位置が前記発射レバーの回転方向に所定量ずれた場合でも、前記第１の接続部および前記第２の接続部が相互に電気的に接続された状態が確保される範囲に亘って設けられていることを特徴とする遊技機。
【請求項２】
遊技機本体と、
この遊技機本体に備えられた遊技盤と、
この遊技盤へ遊技球を発射する発射装置と、
前記遊技機本体に取付けられており、前記発射装置を起動するための電気信号を前記発射装置へ出力する発射ハンドルとを備えており、
前記発射ハンドルに設けられた発射レバーを回転させることにより、前記発射装置の前記遊技球を発射する強度を調節する遊技機において、
前記発射ハンドルには、
前記発射ハンドルを前記遊技機本体に取り付けるための第１の取付け部が備えられており、
前記遊技機本体には、
前記第１の取付け部を取付けるための第２の取付け部が備えられており、
前記第１の取付け部および前記第２の取付け部の一方には、雄ねじが形成されているとともに、他方には前記雄ねじをねじ込むための雌ねじが形成されており、
前記雄ねじを前記雌ねじへねじ込むことにより、前記発射ハンドルが前記遊技機本体に取付けられることを特徴とする遊技機。
【請求項３】
遊技機本体と、
この遊技機本体に備えられた遊技盤と、
この遊技盤へ遊技球を発射する発射装置と、
前記遊技機本体に取付けられており、前記発射装置を起動するための電気信号を前記発射装置へ出力する発射ハンドルとを備えており、
前記発射ハンドルに設けられた発射レバーを回転させることにより、前記発射装置の前記遊技球を発射する強度を調節する遊技機において、
前記発射ハンドルには、
前記発射ハンドルを前記遊技機本体に取り付けるための第１の取付け部と、
前記発射装置と電気的に接続するための第１の接続部とが備えられており、
前記遊技機本体には、
前記第１の取付け部を取付けるための第２の取付け部と、
前記第１の接続部と電気的に接続するための第２の接続部とが備えられており、
前記第１の取付け部および前記第２の取付け部の一方には凹部が備えられているとともに、他方には前記凹部の内部に装着される凸部が備えられており、
前記第１の接続部および前記第２の接続部の一方は、前記凹部の内部に設けられているとともに、他方は前記凸部の先端に設けられており、
前記凹部および前記凸部の少なくとも一方には、弾性により、前記第１の接続部および前記第２の接続部の一方を他方へ付勢する付勢手段が備えられており、
前記凸部を前記凹部の内部に装着することにより、前記発射ハンドルが前記遊技機本体に取り付けられるとともに、前記付勢手段により、前記第１の接続部および前記第２の接続部の少なくとも一方が他方に押し付けられることにより、前記第１の接続部および前記第２の接続部が電気的に接続されることを特徴とする遊技機。
【請求項４】
前記第１の接続部および前記第２の接続部の少なくとも一方は、前記第１の取付け部の取付け位置が前記発射レバーの回転方向に所定量ずれた場合でも、前記第１の接続部および前記第２の接続部が相互に電気的に接続された状態が確保される範囲に亘って設けられていることを特徴とする請求項３に記載の遊技機。
【請求項５】
前記第１の接続部および前記第２の接続部の少なくとも一方は、前記発射レバーの回転方向に対応するリング状に形成されていることを特徴とする請求項１、請求項３および請求項４のいずれか１つに記載の遊技機。
【請求項６】
前記凸部の先端部の端面には開口部が形成されているとともに、前記先端部の内部には前記開口部と連通する空間が形成されており、
前記空間には、前記付勢手段が収容されているとともに、前記第１の接続部および前記第２の接続部の一方を備えた接続端子が前記付勢手段に接続されて前記開口部から突出した状態に設けられており、
前記凸部を前記凹部の内部に装着することにより、前記発射ハンドルが前記遊技機本体に取り付けられ、かつ、前記第１の接続部および前記第２の接続部の一方が、前記付勢手段の弾性により前記他方に押し付けられ、前記第１の接続部および前記第２の接続部が電気的に接続されることを特徴とする請求項３ないし請求項５のいずれか１つに記載の遊技機。
【請求項７】
前記凹部の内部には、前記付勢手段が収容されているとともに、前記第１の接続部および前記第２の接続部の一方を備えた接続端子が前記付勢手段に接続されて前記凹部の内部に設けられていることを特徴とする請求項３ないし請求項６のいずれか１つに記載の遊技機。
【請求項８】
前記凹部の内周面には雌ねじが形成されており、
前記凸部の外周面には前記雌ねじにねじ込むための雄ねじが形成されていることを特徴とする請求項３ないし請求項７のいずれか１つに記載の遊技機。
【請求項９】
前記雄ねじが前記雌ねじへねじ込まれた状態を固定する固定手段を備えたことを特徴とする請求項２または請求項８に記載の遊技機。
【請求項１０】
前記凹部の内部に前記凸部が装着された状態を固定する固定手段を備えたことを特徴とする請求項３ないし請求項７のいずれか１つに記載の遊技機。
【請求項１１】
前記発射ハンドルには、
遊技者の手が触れたことを検出するセンサと、
前記電気信号の前記発射装置への出力および出力停止を操作するスイッチとが備えられており、
前記第１の接続部には、
前記センサからの電気信号を出力する第１の電極と、
前記スイッチからの電気信号を出力する第２の電極とが備えられており、
前記第２の接続部には、
前記第１の電極と電気的に接続される第３の電極と、
前記第２の電極と電気的に接続される第４の電極とが備えられており、
前記発射装置は、前記センサから前記第１の電極および前記第３の電極を介して出力された電気信号を入力するとともに、前記スイッチから前記第２の電極および前記第４の電極を介して出力された電気信号を入力して起動可能になることを特徴とする請求項１、請求項３、請求項４、請求項５、請求項６、請求項７、請求項８、請求項９および請求項１０のいずれか１つに記載の遊技機。
【発明の詳細な説明】
【０００１】
【産業上の利用分野】
この発明は、パチンコ機、アレンジボール、雀球など、発射ハンドルを操作して遊技球を遊技盤へ発射することにより遊技を行う遊技機に関する。
【０００２】
【従来の技術】
従来、この種の遊技機として図２０に示す発射ハンドルおよび発射装置を備えたパチンコ機が知られている。
図２０は、発射ハンドルおよび発射装置の構成を示す分解斜視図である。なお、以下の説明では、パチンコ機の正面に座った遊技者側を前方とし、パチンコ機側を後方とする。
発射ハンドル１４０には、ベース部材１４５が備えられている。ベース部材１４５は、略円柱形状の基部１４５ａと、この基部１４５ａの前部に形成されたフランジ形状のフランジ部１４５ｂとを備える。そのフランジ部１４５ｂの外周は、前面から見て環状に形成されている。フランジ部１４５ｂには、発射モータ１６２を起動する発射スイッチ１５１と、その起動を停止させる発射停止ボタン１５０とが装着されている。パチンコ機の前面に設けられた前枠１１２には、円筒形状のベース取付部１１２ａが突出形成されており、そのベース取付部１１２ａにベース部材１４５の基部１４５ａが挿入されている。
【０００３】
前枠１１２の裏面には、ベース板１６４が取付けられており、そのベース板１６４には、発射モータ１６２と、この発射モータ１６２の駆動により遊技球を打撃して発射する打撃子１６３と、この打撃子１６３の打撃力を調節する打撃力調節機構１６１とが取付けられている。ベース部材１４５の中心には、軸受け部材１５２を介してハンドルシャフト１４３が前後方向に挿通されており、そのハンドルシャフト１４３の後端は、打撃力調節機構１６１と連結されている。ハンドルシャフト１４３の前端に切り欠き形成された回り止め部１４３ａには、レバー部材１４１の回動中心が挿通されている。つまり、レバー部材１４１を回動させると、ハンドルシャフト１４３が回動し、打撃力調節機構１６１が操作され、打撃子１６３の打撃力が調節される。
レバー部材１４１の後部は、フランジ部１４５ｂの外周に被せられており、レバー部材１４１は、フランジ部１４５ｂの外周に沿って回動可能になっている。
【０００４】
レバー部材１４１の前部には、円板形状のタッチセンサ１４７が取付けられており、そのタッチセンサ１４７の前部には、半球形状のハンドルカバー１４９が取り付けられている。
また、ベース部材１４５の基部１４５ａの後端からは、タッチセンサ１４７の検出信号を出力するためのリード線Ｌ１と、発射スイッチ１５１のスイッチング信号を出力するためのリード線Ｌ２とが導出されている。
また、ベース取付部１１２ａの外周面には、取付ネジを挿通するためのネジ挿通孔１７０が貫通形成されており、ベース取付部１１２ａに挿通されたベース部材１４５の基部１４５ａの外周面のネジ挿通孔１７０に対応する箇所には、取付ネジをねじ込むためのネジ孔１７１が形成されている。
ところで、発射ハンドル１４０は、以下の点順で前枠１１２に取付ける。
まず、前枠１１２を開き、ベース板１６４の裏面に設けられたモータ駆動に配線可能な状態にする。そして、リード線Ｌ１，Ｌ２をそれぞれベース取付部１１２ａを通し、さらにベース板１６４の貫通孔１６４ａを通し、ベース板１６４の裏面に設けられたモータ駆動基板の所定の端子に電気的に接続する。次に、ベース部材１４５の基部１４５ａを前枠１１２のベース取付部１１２ａに挿入し、取付ネジをネジ挿通孔１７０から挿通し、ネジ孔１７１へねじ込んでベース部材１４５をベース取付部１１２ａに固定する。
そして、遊技者の手がタッチセンサ１４７の周面に触れると、発射スイッチ１５１がＯＮし、発射モータ１６２が駆動可能な状態になる。そして、レバー部材１４１を右方向に回動させると、発射モータ１６２が駆動し、打撃力調節機構１６１により、レバー部材１４１の回動角度に対応した打撃力に調節され、その打撃力にて打撃子１６３が遊技球を打撃し、その打撃された遊技球が遊技盤へ発射される。
【０００５】
また、発射ハンドルとして図２１に示す構造のものが知られている（特開平８−１５５０８３号公報）。
図２１（Ａ）は、ハンドルの内部構造を一部の縦断面を含んで示す説明図であり、図２１（Ｂ）は、図２１（Ａ）に示すハンドルを右側面から見た説明図であり、図２１（Ｃ）は、図２１（Ａ）に示すハンドルをパチンコ機の前板に取付けた状態を一部の縦断面を含んで示す説明図である。
ハンドル３０（図２０の発射ハンドル１４０に相当）には、筒状の補助固定体３９（図２０のベース部材１４５に相当）が備えられており、その補助固定体３９の先端の外周面には、発射力操作部材３７（図２０のレバー部材１４１に相当）が回動可能に取付けられている。また、発射力操作部材３７の裏面には、停止スイッチ３４が設けられており、補助固定体３９の内部には、リミットスイッチ（図示省略、図２０の発射スイッチ１５１に相当）と、ハンドル記憶体（ＥＥＰＲＯＭ）３６とが設けられている。
【０００６】
また、補助固定体３９の内部には、調節棒３８（ハンドルシャフト１４３）が挿通されており、補助固定体３９の後面には、位置決め用突起３１，３１と、停止用オスコネクタ３２と、貸球情報用オスコネクタ３５とが突出形成されている。上記リミットスイッチは、リード線３３によって停止用オスコネクタ３２と電気的に接続されており、ハンドル記憶体３６は、リード線３６ａによって貸球情報用オスコネクタ３５と電気的に接続されている。
また、前板Ｍには、位置決め嵌合孔３１ａ，３１ａと、停止用メスコネクタ３２ａと、貸球情報用メスコネクタ３５ａと、駆動孔３８ａとが形成されている。
そして、ハンドル３０を前板Ｍに取付ける場合は、ハンドル３０の調節棒３８を前板Ｍの駆動孔３８ａに挿入し、ハンドル３０の位置決め用突起３１，３１をそれぞれ前板Ｍの位置決め嵌合孔３１ａ，３１ａに嵌合し、ハンドル３０の停止用オスコネクタ３２を前板Ｍの停止用メスコネクタに接続し、ハンドル３０の貸球情報用オスコネクタ３５を前板Ｍの貸球情報用メスコネクタ３５ａに接続する。
【０００７】
【特許文献１】
特開平８−１５５０８３号公報（第７段落〜第９段落、図３）。
【０００８】
【発明が解決しようとする課題】
しかし、前述のように、図２０に示した発射ハンドル１４０を備えたパチンコ機は、発射ハンドル１４０を前枠１１２に取付ける際のリード線Ｌ１，Ｌ２を配線する作業と、ベース部材１４５をベース取付部１１２ａに固定する際のネジ止めの作業とを行わなければならないため、非常に作業効率が悪いという問題がある。また、前枠１１２を開かないと、リード線Ｌ１，Ｌ２をモータ駆動基板に接続できないため、発射ハンドル１４０を着脱する毎に前枠１１２を開閉する手間がいるという問題もある。
一方、図２１に示したハンドル３０を備えたパチンコ機は、停止用オスコネクタ３２および貸球情報用オスコネクタ３５が補助固定体３９の後面から突出しているため、位置決め用突起３１，３１の位置決め嵌合孔３１ａ，３１ａへの嵌合位置がずれると、上記両オスコネクタ３２，３５を破損するおそれがある。また、位置決め用突起３１，３１が補助固定体３９の後面に突出形成されているため、ハンドル３０の前面から位置決め用突起３１，３１および位置決め嵌合孔３１ａ，３１ａが見難いので、位置決めおよび嵌合を行い難い。
つまり、従来のパチンコ機は、発射ハンドルの取付作業効率が悪いという問題を主な問題として抱えている。
【０００９】
そこでこの発明は、上記問題を解決するためになされたものであり、発射ハンドルの取付作業効率を向上することができる遊技機を実現することを主目的とする。
【００１０】
【課題を解決するための手段・作用および効果】
この発明は、上記目的を達成するため、請求項１または請求項１１に記載の発明では、遊技機本体と、この遊技機本体に備えられた遊技盤と、この遊技盤へ遊技球を発射する発射装置と、前記遊技機本体に取付けられており、前記発射装置を起動するための電気信号を前記発射装置へ出力する発射ハンドルとを備えており、前記発射ハンドルに設けられた発射レバーを回転させることにより、前記発射装置の前記遊技球を発射する強度を調節する遊技機において、前記発射ハンドルには、前記発射ハンドルを前記遊技機本体に取り付けるための第１の取付け部と、前記発射装置と電気的に接続するための第１の接続部とが備えられており、前記遊技機本体には、前記第１の取付け部を取付けるための第２の取付け部と、記第１の接続部と電気的に接続するための第２の接続部とが備えられており、前記第１の接続部および前記第２の接続部は、前記第１の取付け部を前記第２の取付け部に取付けることによって電気的に接続され、かつ、前記第１の接続部および前記第２の接続部の少なくとも一方は、前記第１の取付け部の取付け位置が前記発射レバーの回転方向に所定量ずれた場合でも、前記第１の接続部および前記第２の接続部が相互に電気的に接続された状態が確保される範囲に亘って設けられているという技術的手段を用いる。
【００１１】
発射装置は、遊技機本体に備えられた遊技盤へ遊技球を発射し、発射ハンドルは発射装置を起動するための電気信号を発射装置へ出力する。また、発射ハンドルは遊技機本体に取り付けられており、発射ハンドルに設けられた発射レバーを回転させることにより、発射装置が遊技球を発射する強度を調節する。さらに、発射ハンドルは、発射ハンドルを遊技機本体に取り付けるための第１の取付け部と第１の接続部とを備え、遊技機本体は第１の取付け部を取付けるための第２の取付け部と、第１の接続部と電気的に接続するための第２の接続部とを備える。第１の取付け部を第２の取付け部に取付けると、第１の接続部と第２の接続部が電気的に接続される。また、第１の接続部および第２の接続部の少なくとも一方は、第１の取付け部の取付け位置が発射レバーの回転方向に所定量ずれた場合でも、第１の接続部および第２の接続部が相互に電気的に接続された状態が確保される範囲に亘って設けられている。
つまり、発射ハンドルを遊技機本体に取付ける際に、第２の取付け部に対する第１の取付け部の取付け位置が、発射レバーの回転方向に所定量ずれた場合であっても、第１の接続部および第２の接続部が相互に電気的に接続された状態を確保することができる。
したがって、第１の取付け部の発射レバーの回転方向に対する正確な位置合わせを行う必要もないし、従来の遊技機のように、リード線の配線、コネクタ同士の接続など、手間のかかる作業を行う必要もないため、発射ハンドルの取付作業効率を向上することができる。
【００１２】
請求項２または請求項９に記載の発明では、遊技機本体と、この遊技機本体に備えられた遊技盤と、この遊技盤へ遊技球を発射する発射装置と、前記遊技機本体に取付けられており、前記発射装置を起動するための電気信号を前記発射装置へ出力する発射ハンドルとを備えており、前記発射ハンドルに設けられた発射レバーを回転させることにより、前記発射装置の前記遊技球を発射する強度を調節する遊技機において、前記発射ハンドルには、前記発射ハンドルを前記遊技機本体に取り付けるための第１の取付け部が備えられており、前記遊技機本体には、前記第１の取付け部を取付けるための第２の取付け部が備えられており、前記第１の取付け部および前記第２の取付け部の一方には、雄ねじが形成されているとともに、他方には前記雄ねじをねじ込むための雌ねじが形成されており、前記雄ねじを前記雌ねじへねじ込むことにより、前記発射ハンドルが前記遊技機本体に取付けられるという技術的手段を用いる。
【００１３】
発射装置は、遊技機本体に備えられた遊技盤へ遊技球を発射し、発射ハンドルは発射装置を起動するための電気信号を発射装置へ出力する。また、発射ハンドルは遊技機本体に取り付けられており、発射ハンドルに設けられた発射レバーを回転させることにより、発射装置が遊技球を発射する強度を調節する。さらに、発射ハンドルは、発射ハンドルを前記遊技機本体に取り付けるための第１の取付け部を備え、遊技機本体は第１の取付け部を取付けるための第２の取付け部を備える。第１の取付け部および第２の取付け部の一方には雄ねじが形成されており、他方にはその雄ねじをねじ込むための雌ねじが形成されている。そして、雄ねじを雌ねじへねじ込むことにより、発射ハンドルが遊技機本体に取付けられる。
つまり、発射ハンドルの第１の取付け部および遊技機本体の第２の取付け部の一方に形成された雄ねじを他方に形成された雌ねじへねじ込むという簡単な作業を行うだけで、発射ハンドルを遊技機本体に取付けることができる。
したがって、従来の遊技機のように、ビス止めや、位置決め用嵌合突起を位置決め嵌合孔に嵌合するなどの手間のかかる作業が不要となるため、発射ハンドルの取付作業効率を向上することができる。
【００１４】
請求項３に記載の発明では、請求項４、請求項５、請求項６、請求項７、請求項８、請求項１０および請求項１１に記載の遊技機では、遊技機本体と、この遊技機本体に備えられた遊技盤と、この遊技盤へ遊技球を発射する発射装置と、前記遊技機本体に取付けられており、前記発射装置を起動するための電気信号を前記発射装置へ出力する発射ハンドルとを備えており、前記発射ハンドルに設けられた発射レバーを回転させることにより、前記発射装置の前記遊技球を発射する強度を調節する遊技機において、前記発射ハンドルには、前記発射ハンドルを前記遊技機本体に取り付けるための第１の取付け部と、前記発射装置と電気的に接続するための第１の接続部とが備えられており、前記遊技機本体には、前記第１の取付け部を取付けるための第２の取付け部と、前記第１の接続部と電気的に接続するための第２の接続部とが備えられており、前記第１の取付け部および前記第２の取付け部の一方には凹部が備えられているとともに、他方には前記凹部の内部に装着される凸部が備えられており、前記第１の接続部および前記第２の接続部の一方は、前記凹部の内部に設けられているとともに、他方は前記凸部の先端に設けられており、前記凹部および前記凸部の少なくとも一方には、弾性により、前記第１の接続部および前記第２の接続部の一方を他方へ付勢する付勢手段が備えられており、前記凸部を前記凹部の内部に装着することにより、前記発射ハンドルが前記遊技機本体に取り付けられるとともに、前記付勢手段により、前記第１の接続部および前記第２の接続部の少なくとも一方が他方に押し付けられることにより、前記第１の接続部および前記第２の接続部が電気的に接続されるという技術的手段を用いる。
【００１５】
発射装置は、遊技機本体に備えられた遊技盤へ遊技球を発射し、発射ハンドルは発射装置を起動するための電気信号を発射装置へ出力する。また、発射ハンドルは遊技機本体に取り付けられており、発射ハンドルに設けられた発射レバーを回転させることにより、発射装置が遊技球を発射する強度を調節する。さらに、発射ハンドルは、発射ハンドルを遊技機本体に取り付けるための第１の取付け部と、発射装置と電気的に接続するための第１の接続部とを備え、遊技機本体は、第１の取付け部を取付けるための第２の取付け部と、第１の接続部と電気的に接続するための第２の接続部とを備える。
また、第１の取付け部および第２の取付け部の一方は凹部を備え、他方はその凹部の内部に装着する凸部を備える。また、第１の接続部および第２の接続部の一方は、凹部の内部に設けられているとともに、他方は凸部の先端に設けられている。さらに、凹部および凸部の少なくとも一方は、弾性により、第１の接続部および第２の接続部の一方を他方へ付勢する付勢手段を備える。
そして、凸部を凹部の内部に装着すると、発射ハンドルが遊技機本体に取り付けられるとともに、付勢手段により、第１の接続部および第２の接続部の少なくとも一方が他方に押し付けられることにより、第１の接続部および第２の接続部が電気的に接続される。
つまり、発射ハンドルの第１の取付け部および遊技機本体の第２の取付け部の一方に備えられた凹部の内部に、他方に備えられた凸部を装着することにより、発射ハンドルを遊技機本体に取付けることができる。また、凹部の内部に設けられた第１の接続部および第２の接続部の一方と、凸部の先端に設けられた他方とは、付勢手段により一方が他方に押し付けられるため、第１の接続部および第２の接続部を電気的に接続することができる。
したがって、  従来の遊技機のように、リード線の配線、コネクタ同士の接続など、手間のかかる作業を行う必要もないため、発射ハンドルの取付作業効率を向上することができる。
【００１６】
請求項４に記載の発明では、請求項３に記載の遊技機において、前記第１の接続部および前記第２の接続部の少なくとも一方は、前記第１の取付け部の取付け位置が前記発射レバーの回転方向に所定量ずれた場合でも、前記第１の接続部および前記第２の接続部が相互に電気的に接続された状態が確保される範囲に亘って設けられているという技術的手段を用いる。
【００１７】
つまり、第１の接続部および第２の接続部の少なくとも一方は、第１の取付け部の取付け位置が発射レバーの回転方向に所定量ずれた場合でも、第１の接続部および第２の接続部が相互に電気的に接続された状態が確保される範囲に亘って設けられているため、発射ハンドルを遊技機本体に取付ける際に、第２の取付け部に対する第１の取付け部の取付け位置が、発射レバーの回転方向に所定量ずれた場合であっても、第１の接続部および第２の接続部が相互に電気的に接続された状態を確保することができる。
したがって、  第１の取付け部の発射レバーの回転方向に対する正確な位置合わせを行う必要もないし、従来の遊技機のように、リード線の配線、コネクタ同士の接続など、手間のかかる作業を行う必要もないため、発射ハンドルの取付作業効率を向上することができる。
【００１８】
請求項５に記載の発明では、請求項１、請求項３および請求項４のいずれか１つに記載の遊技機において、前記第１の接続部および前記第２の接続部の少なくとも一方は、前記発射レバーの回転方向に対応するリング状に形成されているという技術的手段を用いる。
【００１９】
つまり、第１の接続部および第２の接続部の少なくとも一方は、発射レバーの回転方向に対応するリング状に形成されているため、発射ハンドルの取付位置が発射レバーの回転方向に対してどの位置になっていても、第１の接続部および第２の接続部が相互に電気的に接続された状態を確保することができる。
したがって、発射ハンドルの発射レバーの回転方向に対する取付位置を合わせるという作業を行う必要がないため、発射ハンドルの取付作業効率をより一層向上することができる。
【００２０】
請求項６に記載の発明では、請求項３ないし請求項５のいずれか１つに記載の遊技機において、前記凸部の先端部の端面には開口部が形成されているとともに、前記先端部の内部には前記開口部と連通する空間が形成されており、前記空間には、前記付勢手段が収容されているとともに、前記第１の接続部および前記第２の接続部の一方を備えた接続端子が前記付勢手段に接続されて前記開口部から突出した状態に設けられており、前記凸部を前記凹部の内部に装着することにより、前記発射ハンドルが前記遊技機本体に取り付けられ、かつ、前記第１の接続部および前記第２の接続部の一方が、前記付勢手段の弾性により前記他方に押し付けられ、前記第１の接続部および前記第２の接続部が電気的に接続されるという技術的手段を用いる。
【００２１】
凸部を凹部の内部に装着することにより、発射ハンドルを遊技機本体に取付けることができる。また、凸部の先端部に設けられた第１の接続部および第２の接続部の一方が、凸部の先端部内部の空間に収容された付勢手段の弾性により、凹部の内部に設けられた第１の接続部および第２の接続部の他方に押し付けられるため、発射ハンドルが、凸部を凹部から抜き出す方向に多少ずれた場合であっても、第１の接続部および第２の接続部が相互に電気的に接続された状態を確実に確保することができる。
【００２２】
請求項７に記載の発明では、請求項３ないし請求項６のいずれか１つに記載の遊技機において、前記凹部の内部には、前記付勢手段が収容されているとともに、前記第１の接続部および前記第２の接続部の一方を備えた接続端子が前記付勢手段に接続されて前記凹部の内部に設けられているという技術的手段を用いる。
【００２３】
凹部の内部に設けられた第１の接続部および第２の接続部の一方が、凹部の内部に収容された付勢手段の弾性により、凸部の先端部に設けられた第１の接続部および第２の接続部の他方に押し付けられるため、発射ハンドルが、凸部を凹部から抜き出す方向に多少ずれた場合であっても、第１の接続部および第２の接続部が相互に電気的に接続された状態を確実に確保することができる。
【００２４】
請求項８に記載の発明では、請求項３ないし請求項７のいずれか１つに記載の遊技機において、前記凹部の内周面には雌ねじが形成されており、前記凸部の外周面には前記雌ねじにねじ込むための雄ねじが形成されているという技術的手段を用いる。
【００２５】
つまり、凸部を凹部にねじ込むだけの簡単な作業により、発射ハンドルを遊技機本体に取付けることができるとともに、第１の接続部および第２の接続部を電気的に接続することができる。
したがって、  発射レバーの取付位置の正確な位置合わせを行う必要もないし、ビス止め、リード線の配線、コネクタ同士の接続など、手間のかかる作業を行う必要もないため、発射ハンドルの取付作業効率をより一層向上することができる。
【００２６】
請求項９に記載の発明では、請求項２または請求項８に記載の遊技機において、前記雄ねじが前記雌ねじへねじ込まれた状態を固定する固定手段を備えたという技術的手段を用いる。
【００２７】
つまり、固定手段により、凸部の雄ねじが凹部の雌ねじへねじ込まれた状態を固定することができるため、遊技機本体に取付けた発射ハンドルに対してねじ込みの方向と逆の方向の力が働いても、凸部の凹部へのねじ込みが緩み、発射ハンドルががたついてしまうおそれがない。
【００２８】
請求項１０に記載の発明では、請求項３ないし請求項７のいずれか１つに記載の遊技機において、前記凹部の内部に前記凸部が装着された状態を固定する固定手段を備えたという技術的手段を用いる。
【００２９】
つまり、固定手段により、凹部の内部に凸部が装着された状態を固定することができるため、凸部の凹部への装着状態が緩み、発射ハンドルががたついてしまうおそれがない。
【００３０】
請求項１１に記載の発明では、請求項１、請求項３、請求項４、請求項５、請求項６、請求項７、請求項８、請求項９および請求項１０のいずれか１つに記載の遊技機において、前記発射ハンドルには、遊技者の手が触れたことを検出するセンサと、前記電気信号の前記発射装置への出力および出力停止を操作するスイッチとが備えられており、前記第１の接続部には、前記センサからの電気信号を出力する第１の電極と、前記スイッチからの電気信号を出力する第２の電極とが備えられており、前記第２の接続部には、前記第１の電極と電気的に接続される第３の電極と、前記第２の電極と電気的に接続される第４の電極とが備えられており、前記発射装置は、前記センサから前記第１の電極および前記第３の電極を介して出力された電気信号を入力するとともに、前記スイッチから前記第２の電極および前記第４の電極を介して出力された電気信号を入力して起動可能になるという技術的手段を用いる。
【００３１】
つまり、発射ハンドルの第１の接続部には第１の電極および第２の電極が備えられており、遊技機本体の第２の接続部には、第１の電極と電気的に接続される第３の電極と、第２の電極と電気的に接続される第４の電極とが備えられている。また、請求項１に記載したように、第１の接続部および第２の接続部の少なくとも一方は、第１の取付け部の取付け位置が発射レバーの回転方向に所定量ずれた場合でも、第１の接続部および第２の接続部が相互に電気的に接続された状態が確保される範囲に亘って設けられているため、第１の電極および第２の電極が相互に電気的に接続された状態と、第３の電極および第４の電極が相互に電気的に接続された状態とを確保することができる。
したがって、発射ハンドルの取付け位置が、発射レバーの回転方向に所定量ずれた場合であっても、発射ハンドルのスイッチおよびセンサからの各電気信号を発射装置へ出力し、発射装置を起動可能にすることができるため、遊技を行うことができる。
【００３２】
【発明の実施の形態】
以下、この発明に係る遊技機の実施形態について図を参照して説明する。なお、以下の各実施形態では、この発明に係る遊技機として、パチンコ機を例に挙げて説明する。また、以下の説明では、パチンコ機の正面に座った遊技者側を前方とし、パチンコ機側を後方とする。
＜第１実施形態＞
まず、この発明の第１実施形態のパチンコ機について図１ないし図９を参照して説明する。図１は、本実施形態のパチンコ機の外観を示す斜視説明図である。図２は、図１に示すパチンコ機に備えられた発射ハンドルおよび発射装置の正面説明図である。図３（Ａ）は、図２に示す発射ハンドルおよび発射装置の裏面説明図であり、図３（Ｂ）は、図３（Ａ）の左側面説明図である。図４（Ａ）は、図２に示す発射ハンドルの裏面説明図であり、図４（Ｂ）は、図４（Ａ）のＡ−Ａ矢視断面説明図である。図５（Ａ）は、図４（Ｂ）に示す発射ハンドルの第１の取付け部に備えられた接続端子が進出した状態を示す断面説明図であり、図５（Ｂ）は、図５（Ａ）に示す接続端子が退避した状態を示す断面説明図である。図６（Ａ）は、図１に示すパチンコ機の前枠本体に備えられた取付け部の右側面断面説明図であり、図６（Ｂ）は、図６（Ａ）に示す取付け部の正面説明図である。図７（Ａ）は、発射ハンドルを前枠本体に取付ける様子を示す説明図であり、図７（Ｂ）は、発射ハンドルが前枠本体に取付けられた状態を示す説明図である。図８（Ａ）は、図７（Ａ）に示す様子を右側面から見た断面説明図であり、図８（Ｂ）は、図７（Ｂ）に示す状態を右側面から見た断面説明図である。図９は、図１に示すパチンコ機の電気的構成の一部をブロックで示す説明図である。
【００３３】
（発射装置の主な構成）
図１に示すように、パチンコ機１には、前枠本体２が備えられており、その前枠本体２には遊技盤３が設けられている。また、前枠本体２の前面の右下には、遊技球を遊技盤３へ発射強度を調節するための発射ハンドル４が取付けられている。さらに、前枠本体２には下受け皿５が一体的に形成されている。
図２および図３に示すように、パチンコ機１には、遊技球を発射する発射装置２０が備えられている。発射装置２０には、取付基盤７が備えられており、その取付基盤７には発射ハンドル４が回転可能に取付けられている。また、取付基盤７には、発射ハンドル４の操作により駆動されるロータリーソレノイド８が取り付けられており、そのロータリーソレノイド８の回転軸には、発射槌９の基部が回転可能に取付けられている。発射槌９の先端には、遊技球を打撃して発射する打撃子９ａが取付けられており、打撃位置へ回転した打撃子９ａによる遊技球の発射方向には、発射された遊技球を遊技盤３へ案内する案内レール１９が設けられている。
【００３４】
発射槌９は、コイルスプリング（図示せず）によって発射方向へ付勢されており、その発射位置と、回転前の箇所には、発射槌９の回転を規制する緩衝ゴム１０がそれぞれ取付けられている。また、打撃子９ａによる打撃点の近傍には、打撃点へ遊技球を間欠的に送り出す整流器（図示せず）が設けられている。さらに、取付基盤７の裏面には、ロータリーソレノイド８を駆動する発射駆動基板（図９において符号１５で示す）が収納ボックス内に収納されて設けられている。
なお、この実施形態では、取付基盤７は、金属薄板により形成されており、打撃子９ａは、ゴム製の部材にバネを巻回して構成されている。
【００３５】
（パチンコ機１の主な電気的構成）
図９に示すように、パチンコ機１には、主電源１１、電源基板１２、主制御基板１３、払出制御基板１４および発射駆動基板１５が備えられている。主制御基板１３には、ＣＰＵ１３ａ、ＲＯＭ１３ｂおよびＲＡＭ１３ｃが搭載されている。ＣＰＵ１３ａは、大当たりかハズレかの判定、入賞スイッチ１ａからのスイッチング信号に基づく入賞の判定などの遊技の主な制御を実行する。ＲＯＭ１３ｂには、ＣＰＵ１３ａが実行する制御プログラムなどが記録されており、ＲＡＭ１３ｃは、ＣＰＵ１３ａの処理結果などを一時的に格納する。
【００３６】
払出制御基板１４には、ＣＰＵ１４ａ、ＲＯＭ１４ｂおよびＲＡＭ１４ｃが搭載されている。ＣＰＵ１４ａは、ＣＰＵ１３ａから送信された賞球払出命令を受信して賞球払出ユニット１ｂを駆動し、所定個数の賞球を払出させる。また、ＣＰＵ１４ａは、パチンコ機１に設けられた球貸ボタンが押されたことを検出して球貸ユニット１ｃを駆動し、所定個数の貸球を払出させる。ＲＯＭ１４ｂには、ＣＰＵ１４ａが実行する制御プログラムなどが記録されており、ＲＡＭ１４ｃは、ＣＰＵ１４ａの処理結果などを一時的に格納する。
発射ハンドル４に設けられたタッチセンサＴＳ、発射スイッチＨＳおよび可変抵抗器４５は、発射駆動基板１５と電気的に接続されている。
【００３７】
発射ハンドル４を握った遊技者の手が、発射ハンドル４に設けられたタッチセンサＴＳに触れると、発射スイッチＨＳがＯＮし、発射駆動基板１５が起動可能な状態になる。そして、遊技者が発射レバー４３を右方向（時計回り）に回転させると、その回転量に対応して可変抵抗器４５の抵抗値が変化し、その変化した抵抗値に対応した電気信号が発射駆動基板１５へ出力される。続いて、発射駆動基板１５は、入力した電気信号に対応した駆動信号をロータリーソレノイド８へ出力し、ロータリーソレノイド８が上記駆動信号に対応して回転する。これに連動して発射槌９が回転し、打撃子９ａによって遊技球が打撃され、その打撃された遊技球は案内レール１９によって遊技盤３へ案内される。
【００３８】
（発射ハンドルの構造）
発射ハンドル４には、ベース部材４１が備えられている。ベース部材４１は、略円柱形状の基部４１ａと、この基部４１ａの前部に形成されたフランジ形状のフランジ部４１ｂとを備える。そのフランジ部４１ｂの外周は、前方から見て環状に形成されており、そのフランジ部４１ｂの外周には、発射レバー４３が回転可能に取付けられている。発射レバー４３は、円板形状のベース板４３ａを備えており、そのベース板４３ａの外周には、把持部４３ｂが形成されている。把持部４３ｂには、右手親指の右側面を掛ける指掛け部４３ｂ１と、右手薬指を掛ける指掛け部４３ｂ２と、右手小指を掛ける指掛け部４３ｂ３とが形成されている。発射レバー４３の前面には、円板形状のタッチセンサＴＳが装着されており、そのタッチセンサＴＳの前面には、半球形状のハンドルカバー４２が被せられている。また、基部４１ａの後端部の外周面には、雄ねじ部４９が刻まれている。
【００３９】
ベース板４３ａの裏面の回転中心には、回転シャフト固定部４３ｃが後方に向けて突出形成されている。また、基部４１ａとフランジ部４１ｂとの境界付近には、仕切り壁４１ｃが形成されており、その仕切り壁４１ｃの前面の中央には、リング状の可変抵抗器４５が設けられている。可変抵抗器４５の中心には、軸受部４５ａが形成されている。回転シャフト固定部４３ｃには、発射レバー４３の回転に連動して回転する回転シャフト４４の先端が固定されており、回転シャフト４４の後端は軸受部４５ａに回転可能に軸止されている。可変抵抗器４５の後端には、リード線Ｌ１が電気的に接続されている。
つまり、発射レバー４３を回転させると、それに連動して回転シャフト４４が回転し、可変抵抗器４５の抵抗値が変化し、その変化した抵抗値に対応した電気信号がリード線Ｌ１を介して発射駆動基板１５（図９）へ出力される。
【００４０】
ベース部材４１の基部４１ａの略中央内部には、仕切り壁４１ｄが形成されており、その仕切り壁４１ｄと基部４１ａの開口した後端面との間に空間４１ｅが形成されている。その空間４１ｅには、接続端子４７が収容されている。接続端子４７は、後端面に底部４７ａを有し、前端面が開口した有底の円筒形状に形成されており、基部４１ａが外筒で接続端子４７が内筒の二重筒の関係になっている。
接続端子４７の底部４７ａの中心には、棒状部材４７ｂが前方に向けて突出形成されている。その棒状部材４７ｂは、コイルスプリング４８に挿通されており、棒状部材４７ｂの先端は、仕切り壁４１ｄの中心に前後方向に貫通形成された貫通孔４１ｄ１に挿通されている。棒状部材４７ｂの先端には、貫通孔４１ｄ１よりも径の大きい抜け止め部材４７ｃが形成されており、棒状部材４７ｂの貫通孔４１ｄ１からの抜け止めが図られている。
【００４１】
図４（Ａ）に示すように、接続端子４７の底部４７ａの裏面には、内側から順に第１導電リング４６ａ、第２導電リング４６ｂおよび第３導電リング４６ｃが、同心円状に形成されている。各導電リングの円周方向は、発射レバー４３の回転方向と対応している。第１導電リング４６ａはリード線Ｌ１を介して可変抵抗器４５と電気的に接続されており、第２導電リング４６ｂはリード線Ｌ２を介して発射スイッチＨＳと電気的に接続されており、第３導電リング４６ｃはリード線Ｌ３を介してタッチセンサＴＳと電気的に接続されている。
第１導電リング４６ａ、第２導電リング４６ｂおよび第３導電リング４６ｃは、それぞれ平板のリング状に形成されており、それぞれ接続端子４７の底部４７ａの後端面に埋設されている。各導電リングは、各後端面が底部４７ａの後端面から僅かに突出する状態で底部４７ａに埋設されている。底部４７ａの前端面であって、各導電リングと対応する箇所には、リード線Ｌ１〜Ｌ３と各導電リングとを電気的に接続するための孔が３箇所形成されている。また、仕切り壁４１ｄにも各リード線を挿通するための孔が３箇所形成されている。
【００４２】
図５（Ａ）に示すように、発射ハンドル４を取付ける前の状態では、接続端子４７は、コイルスプリング４８の弾性によって後方へ付勢されており、接続端子４７の後端面が基部４１ａの後端面から進出した姿勢になっている。また、図５（Ｂ）に示すように、接続端子４７は、その底部４７ａを前方に押す力を受けると、コイルスプリング４８の弾性に抗して基部４１ａの空間４１ｅに退避した姿勢になり、接続端子４７の後端面と基部４１ａの後端面とが面一になる。
なお、この実施形態では、ベース部材４１および接続端子４７は、合成樹脂などの非導電材料により形成されている。
【００４３】
（前枠本体２における発射ハンドル取付け部の構造）
図６（Ａ）に示すように、前枠本体２の前面の右下には、発射ハンドル４を取付けるための取付部５０が設けられている。取付部５０は、円筒形状の筒部材５１を備える。筒部材５１の前面は開口しており、後面は閉塞された構造である。その後面における前枠本体２には、円板形状の接続円板５４が埋め込まれている。接続円板５４の前面には、内側から順に第４の導電リング５２ａと、第５の導電リング５２ｂと、第６の導電リング５２ｃとが同心円状に形成されている。第４の導電リング５２ａ、第５の導電リング５２ｂおよび第６の導電リング５２ｃの直径および線幅は、それぞれ第１の導電リング４６ａ、第２の導電リング４６ｂおよび第３の導電リング４６ｃと同一である。
第４導電リング５２ａはリード線Ｌ６を介して発射駆動基板１５（図９）と電気的に接続されており、第５導電リング５２ｂはリード線Ｌ５を介して発射駆動基板１５と電気的に接続されており、第６導電リング５２ｃはリード線Ｌ４を介して発射駆動基板１５と電気的に接続されている。
【００４４】
第４導電リング５２ａ、第５導電リング５２ｂおよび第６導電リング５２ｃは、それぞれ平板のリング状に形成されており、それぞれ接続円板５４の前面５４ａの前端面に埋設されている。各導電リングは、各前端面が接続円板５４の前端面から僅かに突出する状態で接続円板５４に埋設されている。接続円板５４の後端面であって、各導電リングと対応する箇所には、リード線Ｌ４〜Ｌ６と各導電リングとを電気的に接続するための孔が３箇所形成されている。
また、筒部材５１の奥方の内周面には、発射ハンドル４の雄ねじ部４９をねじ込む雌ねじ部５３が刻まれている。発射ハンドル４を取付部５０に取付けると、発射ハンドル４の第１の導電リング４６ａは取付部５０の第４導電リング５２ａと電気的に接続され、第２の導電リング４６ｂは第５の導電リング５２ｂと電気的に接続され、第３の導電リング４６ｃは第６の導電リング５２ｃと電気的に接続される。
【００４５】
（発射ハンドルの取付け手順）
発射ハンドル４の基部４１ａの後端を前枠本体２の筒部材５１の前面から挿入し、発射ハンドル４を右方向（図７（Ａ）において矢印で示す方向）に回転させ、その回転が止まるまで基部４１ａの雄ねじ部４９を筒部材５１の雌ねじ部５３にねじ込んで行く。すると、発射ハンドル４は、図７（Ｂ）に示すように、操作可能な正規の姿勢になる。つまり、雄ねじ部４９および雌ねじ部５３は、発射ハンドル４を回転が止まるまでねじ込んだときに、発射ハンドル４が正規の姿勢（図７（Ｂ））になるように刻まれている。
発射ハンドル４の接続端子４７は、発射ハンドル４を取付部５０にねじ込んでいる途中で、取付部５０の接続円板５４に当接し、さらに発射ハンドル４の回転を進めると、接続端子４７がコイルスプリング４８の弾性によって接続円板５４に押し付けられる。これにより、第１の導電リング４６ａ、第２の導電リング４６ｂおよび第３の導電リング４６ｃは、それぞれ第４の導電リング５２ａ、第５の導電リング５２ｂおよび第６の導電リング５２ｃに押し付けられ、各導電リング相互の電気的接続状態が確保される。また、各導電リングが相互に接触している範囲の形状は、それぞれリング状であるため、各導電リングが相互に接触していれば、発射ハンドル４が発射レバー４３の回転方向に所定量ずれた場合であっても各導電リング相互が電気的に接続された状態を確保することができる。
【００４６】
そして、発射ハンドル４の可変抵抗器４５は、リード線Ｌ１、第１の導電リング４６ａ、第４の導電リング５２ａおよびリード線Ｌ４を介して発射駆動基板１５（図９）と電気的に接続され、発射スイッチＨＳは、リード線Ｌ２、第２の導電リング４６ｂ、第５の導電リング５２ｂおよびリード線Ｌ５を介して発射駆動基板１５と電気的に接続され、タッチセンサＴＳは、リード線Ｌ３、第３の導電リング４６ｃ、第６の導電リング５２ｃおよびリード線Ｌ６を介して発射駆動基板１５と電気的に接続される。
さらに、発射ハンドル４の回転を進めると、接続端子４７は、コイルスプリング４８の弾性に抗しながら空間４１ｅの中に退避する（図８（Ｂ））。
なお、この実施形態では、筒部材５１および接続円板５４は、合成樹脂などの非導電性材料により形成されている。
【００４７】
［第１実施形態の効果］
（１）以上のように、上記第１実施形態のパチンコ機１を使用すれば、発射ハンドル４および取付部５０は、導電リングによって電気的に接続され、かつ、各導電リングは、発射レバー４３の回転方向に対応したリング状に形成されているため、発射ハンドル４の取付位置が発射レバー４３の回転方向のどの位置にずれた場合であっても、発射ハンドル４および取付部５０が相互に電気的に接続された状態を確保することができる。
したがって、発射ハンドル４の正確な位置合わせを行う必要もないし、従来のパチンコ機のように、リード線の配線、コネクタ同士の接続など、手間のかかる作業を行う必要もないため、発射ハンドル４の取付作業効率を向上することができる。
【００４８】
（２）しかも、発射ハンドル４は、発射ハンドル４を前枠本体２の取付部５０にねじ込むだけの極めて簡単な作業によって前枠本体２に取付けることができ、かつ、発射ハンドル４と発射駆動基板１５とを容易に電気的に接続することができる。また、発射ハンドル４を左方向に回転させるだけの極めて簡単な作業によって前枠本体２から外すことができ、かつ、発射ハンドル４と発射駆動基板１５との電気的接続状態を解除することができる。
したがって、従来のパチンコ機のように、ビス止めや、位置決め用嵌合突起を位置決め嵌合孔に嵌合するなどの手間のかかる作業が不要となるため、発射ハンドル４の取付作業効率をより一層向上することができる。
【００４９】
（３）また、発射ハンドル４は、接続端子４７を後方へ付勢するコイルスプリングを備えており、発射ハンドル４を取付部５０に取付けた際に接続端子４７が接続円板５４を押し付けている状態を作り出すことができるため、発射ハンドル４が回転して緩んだ場合であっても、各導電リング相互の電気的接続状態を確実に確保することができる。
したがって、発射ハンドル４が回転して緩んだ場合であっても、可変抵抗器４５、発射スイッチＨＳおよびタッチセンサＴＳからの各電気信号を発射駆動基板１５へ出力し、発射装置を起動可能にすることができるため、遊技を行うことができる。
【００５０】
＜第２実施形態＞
次に、この発明の第２実施形態について図１０および図１１を参照して説明する。
図１０（Ａ）は、この実施形態のパチンコ機に備えられた発射ハンドルおよび取付部の縦断面説明図である。図１０（Ｂ）は、図１０（Ａ）に示すベース部材４１の上面の一部を拡大して示す説明図であり、図１０（Ｃ）は、図１０（Ａ）に示す取付部５０の上面の一部を拡大して示す説明図である。図１０（Ｄ）は、図１０（Ａ）に示す発射ハンドルの一部を拡大して示す説明図であり、図１０（Ｅ）は、図１０（Ａ）に示す取付部の一部を拡大して示す説明図である。図１１は、発射ハンドルが取付部に取付けられた状態の右側面断面説明図である。
なお、第１実施形態にて説明した発射ハンドル４と同じ構成については説明を省略し、同じ符号を用いる。
【００５１】
図１０（Ｄ）に示すように、発射ハンドル４の基部４１ａの上面には、孔４１ｆが貫通形成されている。孔４１ｆの内部は、略円柱形状の空間に形成されており、孔４１ｆの下面には、上記空間の直径よりも径の小さい小孔が形成されている。孔４１ｆには、係合部材Ｂが収容されている。係合部材Ｂは、半球形状の頭部を有する係合凸片Ｂ１と、この係合凸片Ｂ１の底部に一端が固定された棒状部材Ｂ２と、その棒状部材Ｂ２の外周に装着されたコイルスプリングＢ３と、棒状部材Ｂ２の他端に形成された抜け止め部材Ｂ４とから構成される。抜け止め部材Ｂ４の直径は、上記小孔の径よりも大きく、抜け止め部材Ｂ４は、小孔から突出した位置、つまり基部４１ａの内側の位置に形成されている。
発射ハンドル４を取付けていない状態では、係合凸片Ｂ１は、コイルスプリングＢ２の弾性を受け、係合凸片Ｂ１の頭部が、孔４１ｆの上面、つまり基部４１ａの上面から突出した状態になる。
また、基部４１ａの後端部には、第１実施形態にて説明した雄ねじ部４９は形成されていない。
【００５２】
取付部５０に備えられた筒部材５１の上面の内側には、半球形状の係合凹部５１ａが形成されている。係合凹部５１ａは、係合凸片Ｂ１の頭部の形状に対応した形状に形成されており、基部４１ａを筒部材５１に挿入したときに係合凸片Ｂ１の頭部が係合凹部５１ａに嵌め込まれる。筒部材５１の上面であって係合凹部５１ａの上部に対応する箇所には、ピンを挿通するためのピン挿通孔５１ｂが係合凹部５１ａに向けて形成されており、ピン挿通孔５１ｂおよび係合凹部５１ａは連通している。つまり、ピン挿通孔５１ｂからピンを挿通し、係合凹部５１ａに嵌め込まれた係合凸片Ｂ１を押し下げることができるようになっている。
発射ハンドル４の取付部５０への取付けは、発射ハンドル４の基部４１ａを取付部５０の筒部材５１に挿入して行う。基部４１ａを筒部材５１に挿入して行くと、係合凸片Ｂ１が筒部材５１の上部前端に引っ掛かる。ここで、係合凸片Ｂ１を指などで下方に押し付けながら、基部４１ａの挿入を進めると、係合凸片Ｂ１は、コイルスプリングＢ３の弾性に抗して孔４１ｆの内部に引っ込み、基部４１ａのさらなる挿入が可能となる。
【００５３】
そして、基部４１ａの挿入を続け、孔４１ｆの位置が係合凹部５１ａの下部に到達すると、孔４１ｆに引っ込んでいた係合凸片Ｂ１が、コイルスプリングＢ３の弾性によって上昇し、係合凹部５１ａに嵌まり込む。これにより、基部４１ａの回転や抜け止めが図られ、筒部材５１に固定される。
また、そのとき、発射ハンドル４に備えられた接続端子４７は、コイルスプリング４８の弾性によって取付部５０に備えられた接続円板５４に押し付けられる。これにより、接続端子４７に設けられた第１の導電リング４６ａは接続円板５４に設けられた第４の導電リング５２ａと、第１の導電リング４６ｂは第５の導電リング５２ｂと、第１の導電リング４６ｃは第６の導電リング５２ｃとそれぞれ電気的に接続される。
また、ピン挿通孔５１ｂからピンを挿通し、係合凸片Ｂ１をその先端が係合凹部５１ａの下面に達するまで押し下げた状態で発射ハンドル４を前方へ引き抜くことにより、発射ハンドル４を取付部５０から外すことができる。
【００５４】
［第２実施形態の効果］
（１）以上のように、第２実施形態のパチンコ機１を使用すれば、発射ハンドル４は、発射ハンドル４を前枠本体２の取付部５０に挿入するだけの極めて簡単な作業によって前枠本体２に取付けることができ、かつ、発射ハンドル４と発射駆動基板１５とを容易に電気的に接続することができる。また、ピン挿通孔５１ｂからピンを挿通して係合凸片Ｂ１を押し下げ、発射ハンドル４を前方へ引き抜くという簡単な作業によって前枠本体２から外すことができ、かつ、発射ハンドル４と発射駆動基板１５との電気的接続状態を解除することができる。
したがって、従来のパチンコ機のように、ビス止めや、位置決め用嵌合突起を位置決め嵌合孔に嵌合するなどの手間のかかる作業が不要となるため、発射ハンドル４の取付作業効率をより一層向上することができる。
【００５５】
（２）しかも、係合部材Ｂにより、筒部材５１の内部に基部４１ａが装着された状態を固定することができるため、発射ハンドル４の装着状態が緩み、発射ハンドル４ががたついてしまうおそれがない。
（３）また、発射ハンドル４は、接続端子４７を後方へ付勢するコイルスプリングを備えており、発射ハンドル４を取付部５０に取付けた際に接続端子４７が接続円板５４を押し付けている状態を作り出すことができるため、係合凸片Ｂ１の係合凹部５１ａとの係合状態が不完全で、発射ハンドル４が前方へ抜く方向にずれた場合であっても、各導電リング相互の電気的接続状態を確実に確保することができる。
したがって、発射ハンドル４が前方へ抜く方向にずれた場合であっても、可変抵抗器４５、発射スイッチＨＳおよびタッチセンサＴＳからの各電気信号を発射駆動基板１５へ出力し、発射装置を起動可能にすることができるため、遊技を行うことができる。
【００５６】
＜第３実施形態＞
次に、この発明の第３実施形態について図１２を参照して説明する。
図１２（Ａ）は、この実施形態のパチンコ機に備えられた発射ハンドルおよび取付部の縦断面説明図であり、図１２（Ｂ）は、発射ハンドルが取付部に取付けられた状態を示す縦断面説明図であり、図１２（Ｃ）は、図１２（Ａ）の一部を拡大して示す説明図である。
なお、第１実施形態にて説明した発射ハンドル４と同じ構成については説明を省略し、同じ符号を用いる。
【００５７】
発射ハンドル４に備えられたベース部材４１の基部４１ａの後端面には、接続部４１ｇが形成されており、その接続部４１ｇの後端面には、第１実施形態と同じように内側から順に第１の導電リング４６ａ、第２の導電リング４６ｂおよび第３の導電リング４６ｃが同心円状に埋設されている。つまり、この発射ハンドル４には、第１実施形態のように、コイルスプリング４８による付勢された接続端子４７なるものが備えられていない。また、基部４１ａの後端部の外周面には、雄ねじ部４９が刻まれている。
取付部５０に備えられた筒部材５１の底部には、収容部５１ｃが形成されており、その収容部５１ｃには、接続円板５４が収容されている。収容部５１ｃの上下には、収容部５１ｃと連通するバネ収容部５５がそれぞれ形成されており、各バネ収容部５５には、バネ５６がそれぞれ収容されている。各バネ５６の前端は、接続円板５４の後端面の上下を前方へ付勢している。また、接続円板５４の前端面には、第１実施形態と同じように内側から順に第４の導電リング５２ａ、第５の導電リング５２ｂおよび第６の導電リング５２ｃが同心円状に埋設されている。また、筒部材５１の内部後方の内周面には、雌ねじ部５３が刻まれている。
【００５８】
そして、発射ハンドル４のベース部材４１を取付部５０の筒部材５１に挿入し、発射ハンドル４を右回り（時計方向）に回転させ、発射ハンドル４の雄ねじ部４９を取付部５０の雌ねじ部５３にねじ込んで行く。そのねじ込んで行く途中で、接続部４１ｇが接続円板５４を押し付けると、接続円板５４は、バネ５６，５６の弾性に抗しながら収容部５１ｃへ退避する。そして、発射ハンドル４を回転が止まる位置までねじ込むと、図１２（Ｂ）に示すように、発射ハンドル４が取付部５０に取付けられる。また、接続円板５４は、バネ５６，５６の弾性により、接続部４１ｇに押し付けられた状態となるため、各導電リング相互の電気的接続状態を強固に維持することができる。
【００５９】
［第３実施形態の効果］
（１）以上のように、上記第３実施形態のパチンコ機１を使用すれば、発射ハンドル４および取付部５０は、導電リングによって電気的に接続され、かつ、各導電リングは、発射レバー４３の回転方向に対応したリング状に形成されているため、発射ハンドル４の取付位置が発射レバー４３の回転方向のどの位置にずれた場合であっても、発射ハンドル４および取付部５０が相互に電気的に接続された状態を確保することができる。
したがって、発射ハンドル４の正確な位置合わせを行う必要もないし、従来のパチンコ機のように、リード線の配線、コネクタ同士の接続など、手間のかかる作業を行う必要もないため、発射ハンドル４の取付作業効率を向上することができる。
【００６０】
（２）しかも、発射ハンドル４は、発射ハンドル４を前枠本体２の取付部５０にねじ込むだけの極めて簡単な作業によって前枠本体２に取付けることができ、かつ、発射ハンドル４と発射駆動基板１５とを容易に電気的に接続することができる。また、発射ハンドル４を左方向に回転させるだけの極めて簡単な作業によって前枠本体２から外すことができ、かつ、発射ハンドル４と発射駆動基板１５との電気的接続状態を解除することができる。
したがって、従来のパチンコ機のように、ビス止めや、位置決め用嵌合突起を位置決め嵌合孔に嵌合するなどの手間のかかる作業が不要となるため、発射ハンドル４の取付作業効率をより一層向上することができる。
【００６１】
（３）また、発射ハンドル４は、バネ５６，５６によって接続円板５４が前方へ付勢されているため、発射ハンドル４を取付部５０に取付けた際に接続円板５４が接続部４１ｇを押し付けている状態を作り出すことができるため、発射ハンドル４が回転して緩んだ場合であっても、各導電リング相互の電気的接続状態を確実に確保することができる。
したがって、発射ハンドル４が回転して緩んだ場合であっても、可変抵抗器４５、発射スイッチＨＳおよびタッチセンサＴＳからの各電気信号を発射駆動基板１５へ出力し、発射装置を起動可能にすることができるため、遊技を行うことができる。
【００６２】
＜第４実施形態＞
次に、この発明の第４実施形態について図１３を参照して説明する。
図１３（Ａ）は、この実施形態のパチンコ機に備えられた発射ハンドルおよび取付部の縦断面説明図であり、図１３（Ｂ）は、発射ハンドルが取付部に取付けられた状態を示す縦断面説明図であり、図１３（Ｃ）は、図１３（Ａ）の一部を拡大して示す説明図である。
なお、第１実施形態にて説明した発射ハンドル４と同じ構成については説明を省略し、同じ符号を用いる。
【００６３】
発射ハンドル４は、第１実施形態にて説明した発射ハンドル４と同じ構成および機能であり、ベース部材４１の基部４１ａの内部には、コイルスプリング４８により後方に付勢された接続端子４７が収容されている。接続端子４７の後端面には、内側から順に第１の導電リング４６ａ、第２の導電リング４６ｂおよび第３の導電リング４６ｃが同心円状に埋設されている。基部４１ａの後端部の外周面には雄ねじ部４９が刻まれている。
取付部５０は、第３実施形態にて説明した取付部５０と同じ構成および機能であり、筒部材５１の底部に形成された収容部５１ｃには、接続円板５４が収容されている。接続円板５４は、バネ収容部５５，５５に収容されたバネ５６，５６によって前方に付勢されている。筒部材５１の内部後方の内周面には、雌ねじ部５３が刻まれている。
そして、発射ハンドル４のベース部材４１を取付部５０の筒部材５１に挿入し、発射ハンドル４を右回り（時計方向）に回転させ、発射ハンドル４の雄ねじ部４９を取付部５０の雌ねじ部５３にねじ込んで行く。そのねじ込んで行く途中で、接続端子４７が接続円板５４を押し付けると、接続円板５４は、バネ５６，５６の弾性に抗しながら収容部５１ｃへ退避する。また、接続端子４７は、接続円板に押され、コイルスプリング４８の弾性に抗しながら空間４１ｅへ退避する。
そして、発射ハンドル４を回転が止まる位置までねじ込むと、図１３（Ｂ）に示すように、発射ハンドル４が取付部５０に取付けられる。また、接続円板５４は、バネ５６，５６の弾性により、接続部４１ｇに押し付けられた状態となり、かつ、接続端子４７は、コイルスプリング４８の弾性により、接続円板５４に押し付けられた状態となるため、各導電リング相互の電気的接続状態をより一層強固に維持することができる。
【００６４】
［第４実施形態の効果］
（１）以上のように、上記第４実施形態のパチンコ機１を使用すれば、発射ハンドル４および取付部５０は、導電リングによって電気的に接続され、かつ、各導電リングは、発射レバー４３の回転方向に対応したリング状に形成されているため、発射ハンドル４の取付位置が発射レバー４３の回転方向のどの位置にずれた場合であっても、発射ハンドル４および取付部５０が相互に電気的に接続された状態を確保することができる。
したがって、発射ハンドル４の正確な位置合わせを行う必要もないし、従来のパチンコ機のように、リード線の配線、コネクタ同士の接続など、手間のかかる作業を行う必要もないため、発射ハンドル４の取付作業効率を向上することができる。
【００６５】
（２）しかも、発射ハンドル４は、発射ハンドル４を前枠本体２の取付部５０にねじ込むだけの極めて簡単な作業によって前枠本体２に取付けることができ、かつ、発射ハンドル４と発射駆動基板１５とを容易に電気的に接続することができる。また、発射ハンドル４を左方向に回転させるだけの極めて簡単な作業によって前枠本体２から外すことができ、かつ、発射ハンドル４と発射駆動基板１５との電気的接続状態を解除することができる。
したがって、従来のパチンコ機のように、ビス止めや、位置決め用嵌合突起を位置決め嵌合孔に嵌合するなどの手間のかかる作業が不要となるため、発射ハンドル４の取付作業効率をより一層向上することができる。
【００６６】
（３）また、発射ハンドル４の接続端子４７は、コイルスプリング４８によって後方へ付勢されており、かつ、取付部５０の接続円板５４は、バネ５６，５６によって前方へ付勢されているため、発射ハンドル４を取付部５０に取付けた際に接続端子４７および接続円板５４が相互に押し付け合っている状態を作り出すことができるため、発射ハンドル４が回転して緩んだ場合であっても、各導電リング相互の電気的接続状態をより一層強固に確保することができる。
したがって、発射ハンドル４が回転して緩んだ場合であっても、可変抵抗器４５、発射スイッチＨＳおよびタッチセンサＴＳからの各電気信号を発射駆動基板１５へ出力し、発射装置を起動可能にすることができるため、遊技を行うことができる。
【００６７】
＜第５実施形態＞
次に、この発明の第５実施形態について図１４および図１５を参照して説明する。
図１４（Ａ）は、この実施形態のパチンコ機に備えられた発射ハンドルの裏面説明図であり、図１４（Ｂ）は、図１４（Ａ）のＡ−Ａ矢視断面説明図である。図１５（Ａ）は、取付け部の右側面断面説明図であり、図１５（Ｂ）は、図１５（Ａ）に示す取付け部の正面説明図である。
なお、第１実施形態にて説明した発射ハンドル４と同じ構成については説明を省略し、同じ符号を用いる。
【００６８】
図１４（Ａ）に示すように、接続端子４７の後端面には、第１の導電部材Ｄ１、第２の導電部材Ｄ２および第３の導電部材Ｄ３が埋設されている。各導電部材Ｄ１〜Ｄ３は、円周を略３等分した長さを有しており、共通の中心を有する円弧状に形成されている。また、各導電部材Ｄ１〜Ｄ３は、各端部間に所定の距離を置いて配置されており、導電部材同士が短絡しないようになっている。
第１の導電部材Ｄ１は、リード線Ｌ１を介して可変抵抗器４５と電気的に接続されており、第２の導電部材Ｄ２は、リード線Ｌ２を介して発射スイッチＨＳ（図９）と電気的に接続されており、第３の導電部材Ｄ３は、リード線Ｌ３を介してタッチセンサＴＳと電気的に接続されている。
【００６９】
図１５（Ｂ）に示すように、取付部５０の筒部材５１の底部に設けられた接続円板５４の前端面には、第４の導電部材Ｅ１、第５の導電部材Ｅ２および第６の導電部材Ｅ３が埋設されている。各導電部材Ｅ１〜Ｅ３は、それぞれ導電部材Ｄ１〜Ｄ３の幅を直径とする円形に形成されている。各導電部材Ｅ１〜Ｅ３は、図１５（Ｂ）において破線で示すように、発射ハンドル４を取付部５０に取付けた場合に、各導電部材Ｄ１〜Ｄ３と電気的接続される位置にそれぞれ配置されている。また、発射ハンドル４の雄ねじ部４９および取付部５０の雌ねじ部５３は、発射ハンドル４を取付部５０に回転が止まるまでねじ込んだときに、第１の導電部材Ｄ１が第４の導電部材Ｅ１と、第２の導電部材Ｄ２が第５の導電部材Ｅ２と、第３の導電部材Ｄ３が第６の導電部材Ｅ３とそれぞれ電気的に接続されるように刻まれている。
そして、発射ハンドル４の基部４１ａを取付部５０の筒部材５１に挿入し、発射ハンドル４を右回転させながら、基部４１ａの雄ねじ部４９を筒部材５１の雌ねじ部５３にねじ込んで行く。そして、発射ハンドル４を回転が止まるまでねじ込むと、発射ハンドル４の導電部材Ｄ１〜Ｄ３と取付部５０の導電部材Ｅ１〜Ｅ３とがそれぞれ電気的に接続される。また、接続端子４７は、コイルスプリング４８の弾性によって接続円板に押し付けられるため、各導電部材間が電気的接続された状態が強固に維持される。
【００７０】
［第５実施形態の効果］
（１）以上のように、上記第５実施形態のパチンコ機１を使用すれば、発射ハンドル４および取付部５０は、導電部材Ｄ１〜Ｄ３と導電部材Ｅ１〜Ｅ３とによって電気的に接続され、かつ、導電部材Ｄ１〜Ｄ３は、発射レバー４３の回転方向に対応した円弧状に形成されているため、発射ハンドル４の取付位置が発射レバー４３の回転方向に所定量ずれた場合であっても、発射ハンドル４および取付部５０が相互に電気的に接続された状態を確保することができる。
したがって、発射ハンドル４の正確な位置合わせを行う必要もないし、従来のパチンコ機のように、リード線の配線、コネクタ同士の接続など、手間のかかる作業を行う必要もないため、発射ハンドル４の取付作業効率を向上することができる。
（２）しかも、導電リングまたは導電部材を形成する材料の量を比較すると、導電部材Ｄ１〜Ｄ３は、導電リングの約１個分であり、かつ、導電部材Ｅ１〜Ｅ３は、１個の導電リングの１／３以下で済むため、発射ハンドルおよび取付部の双方に導電リングを設ける構成よりも材料費を低減することができる。
【００７１】
（３）また、発射ハンドル４は、発射ハンドル４を前枠本体２の取付部５０にねじ込むだけの極めて簡単な作業によって前枠本体２に取付けることができ、かつ、発射ハンドル４と発射駆動基板１５とを容易に電気的に接続することができる。また、発射ハンドル４を左方向に回転させるだけの極めて簡単な作業によって前枠本体２から外すことができ、かつ、発射ハンドル４と発射駆動基板１５との電気的接続状態を解除することができる。
したがって、従来のパチンコ機のように、ビス止めや、位置決め用嵌合突起を位置決め嵌合孔に嵌合するなどの手間のかかる作業が不要となるため、発射ハンドル４の取付作業効率をより一層向上することができる。
【００７２】
（４）さらに、発射ハンドル４の接続端子４７は、コイルスプリング４８によって接続円板５４に押し付けられるため、発射ハンドル４が回転して緩んだ場合であっても、各導電部材相互の電気的接続状態をより一層強固に確保することができる。
したがって、発射ハンドル４が回転して緩んだ場合であっても、可変抵抗器４５、発射スイッチＨＳおよびタッチセンサＴＳからの各電気信号を発射駆動基板１５へ出力し、発射装置を起動可能にすることができるため、遊技を行うことができる。
【００７３】
＜第６実施形態＞
次に、この発明の第６実施形態について図１６ないし図１９を参照して説明する。
図１６（Ａ）は、この実施形態のパチンコ機に備えられた発射ハンドルの裏面説明図であり、図１６（Ｂ）は、図１６（Ａ）のＡ−Ａ矢視断面説明図である。図１７（Ａ）は、取付け部の右側面断面説明図であり、図１７（Ｂ）は、図１７（Ａ）に示す取付け部の正面説明図である。図１８（Ａ）は、発射装置の分解斜視図であり、図１８（Ｂ）は、図１８（Ａ）の一部を拡大して示す説明図である。図１９は、発射ハンドルが前枠本体に取付けられた状態の右側面断面説明図である。
なお、第１実施形態にて説明した発射ハンドル４と同じ構成については説明を省略し、同じ符号を用いる。
【００７４】
この実施形態のパチンコ機に備えられた発射装置は、遊技球を発射する駆動源としてモータを使用する。
図１６（Ｂ）に示すように、発射ハンドル４に備えられたベース部材４１の後端部の内部には、接続端子７０が収容されている。接続端子７０の内部には、コイルスプリング６１が収容されている。コイルスプリング６１の前端は、ベース部材４１の内部に形成された仕切り壁４１ｄに固定されており、コイルスプリング６１の後端は、接続端子７０の内部の底部に固定されている。つまり、接続端子７０は、コイルスプリング６１の弾性によって後方へ付勢されている。また、コイルスプリング６１が接続端子７０の抜け止め部材として作用する。
図１６（Ａ）に示すように、接続端子７０の後端面には、第１の導電部材７１および第２の導電部材７２が埋設されている。導電部材７１，７２は、共通の中心を有する半円形状に形成されている。また、各導電部材は、相互の端部間に所定の間隔を置いて配置されており、導電部材同士が短絡しないようになっている。
【００７５】
発射ハンドル４の回転中心には、棒状のハンドル軸６２が前後方向に挿通されている。ハンドル軸６２の前端は、発射レバー４３の回転シャフト固定部４３ｃに固定されており、ハンドル軸６２の後端の外周面には、雄ねじ部６２ａが刻まれている。ハンドル軸６２は、仕切り壁４１ｃ、仕切り壁４１ｄ、コイルスプリング６１および接続端子７０の中心に挿通されている。
図１７（Ｂ）に示すように、取付部５０の筒部材５１の底部に設けられた接続円板８０の前端面には、第３の導電部材８１および第４の導電部材８２が埋設されている。各導電部材８１，８２は、それぞれ導電部材７１，７２の幅を直径とする円形に形成されている。各導電部材８１，８２は、図１７（Ｂ）において破線で示すように、発射ハンドル４を取付部５０に取付けた場合に、各導電部材７１，７２と電気的接続される位置にそれぞれ配置されている。また、発射ハンドル４の雄ねじ部４９および取付部５０の雌ねじ部５３は、発射ハンドル４を取付部５０に回転が止まるまでねじ込んだときに、第１の導電部材７１が第３の導電部材８１と、第２の導電部材７２が第４の導電部材８２とそれぞれ電気的に接続されるように刻まれている。
【００７６】
そして、発射ハンドル４の基部４１ａを取付部５０の筒部材５１に挿入し、発射ハンドル４を右回転させながら、基部４１ａの雄ねじ部４９を筒部材５１の雌ねじ部５３にねじ込んで行く。そして、発射ハンドル４を回転が止まるまでねじ込むと、発射ハンドル４の導電部材７１，７２と取付部５０の導電部材８１，８２とがそれぞれ電気的に接続される（図１９）。また、接続端子７０は、コイルスプリング６１の弾性によって接続円板に押し付けられるため、各導電部材間が電気的接続された状態が強固に維持される。
【００７７】
図１８（Ａ）に示すように、発射装置１００は、取付基板９０を備えており、その取付基板９０には、ハンドル軸６２の後端を挿通するための挿通孔９０ａが貫通形成されている。その挿通孔９０ａに挿通されたハンドル軸６２の雄ねじ部６２ａは、ドライブプーリ９３に備えられた本体部９３ａに形成された雌ねじ部９３ｂにねじ込まれる。つまり、発射レバー４３を回転させると、ハンドル軸６２が同方向に回転し、本体部９３ａが同方向に回転する。ドライブプーリ９３はドライブプーリケース９２に収容されている。
発射槌９１には、回動した発射槌９１に復元力を与える発射コイルスプリング９７の一端が取付けられている。発射モータ９５の駆動力が伝達されて回転する回転軸９５ａの先端には、ウイングカム９８が連結されており、そのウイングカム９８にはカムフォロワ９９が噛み合っている。
【００７８】
発射ハンドル４を掴み、タッチセンサＴＳに触れると発射スイッチＨＳ（図９）がＯＮし、発射駆動基板１５から駆動信号が発射モータ９５へ出力され、発射モータ９５が回転する。続いてウイングカム９８が回転し、カムフォロワ９９が回転し、発射槌９１が発射コイルスプリング９７の張力に抗して発射点から後方（図１８（Ａ）において左方向）に引き戻される。このとき、発射槌９１に連動して整流器（図示省略）から１個の遊技球が発射点に流入する。
そして、ウイングカム９８とカムフォロワ９９との係合がピークを超えると、発射槌９１は発射コイルスプリング９７の張力により瞬間的に発射点に戻り、遊技球を発射レールに沿って発射する。
【００７９】
［第６実施形態の効果］
（１）以上のように、モータを使用して遊技球を発射する構造のパチンコ機１を使用する場合であっても、発射ハンドル４および取付部５０は、導電部材７１，７２と導電部材８１，８２とによって電気的に接続され、かつ、導電部材７１，７２は、発射レバー４３の回転方向に対応した半円形状に形成されているため、発射ハンドル４の取付位置が発射レバー４３の回転方向に所定量ずれた場合であっても、発射ハンドル４および取付部５０が相互に電気的に接続された状態を確保することができる。
したがって、発射ハンドル４の正確な位置合わせを行う必要もないし、従来のパチンコ機のように、リード線の配線、コネクタ同士の接続など、手間のかかる作業を行う必要もないため、発射ハンドル４の取付作業効率を向上することができる。
（２）しかも、導電リングまたは導電部材を形成する材料の量を比較すると、導電部材７１，７２は、導電リングの約１個分であり、かつ、導電部材８１，８２は、１個の導電リングの１／４以下で済むため、発射ハンドルおよび取付部の双方に導電リングを設ける構成よりも材料費を低減することができる。
【００８０】
（３）また、発射ハンドル４は、発射ハンドル４を前枠本体２の取付部５０にねじ込むだけの極めて簡単な作業によって前枠本体２に取付けることができ、かつ、発射ハンドル４と発射駆動基板１５とを容易に電気的に接続することができる。また、発射ハンドル４を左方向に回転させるだけの極めて簡単な作業によって前枠本体２から外すことができ、かつ、発射ハンドル４と発射駆動基板１５との電気的接続状態を解除することができる。
したがって、従来のパチンコ機のように、ビス止めや、位置決め用嵌合突起を位置決め嵌合孔に嵌合するなどの手間のかかる作業が不要となるため、発射ハンドル４の取付作業効率をより一層向上することができる。
【００８１】
（４）さらに、発射ハンドル４の接続端子７０は、コイルスプリング６１によって接続円板８０に押し付けられるため、発射ハンドル４が回転して緩んだ場合であっても、各導電部材相互の電気的接続状態をより一層強固に確保することができる。
したがって、発射ハンドル４が回転して緩んだ場合であっても、可変抵抗器４５、発射スイッチＨＳおよびタッチセンサＴＳからの各電気信号を発射駆動基板１５へ出力し、発射装置を起動可能にすることができるため、遊技を行うことができる。
【００８２】
＜他の実施形態＞
（１）第１ないし第４実施形態は、発射ハンドル４および取付部５０の双方に導電リングを設けた場合を説明したが、発射ハンドル４および取付部５０の一方に導電リングを設け、他方に小さな導電部材、たとえば第５実施形態にて説明した導電部材Ｅ１〜Ｅ３のような導電部材を設ける構成でもよい。
（２）第５および第６実施形態では、取付部５０の方に小径の導電部材を設ける構成を説明したが、発射ハンドル４の方に小径の導電部材を設け、取付部５０の方に円弧状または半円形状の導電部材を設ける構成でもよい。
（３）上記各小さな導電部材の形状は、円形に限定されるものではなく、四角形などの形状でもよい。また、小さな導電部材を複数個、円弧に沿って配置する構成でもよい。
（３）接続端子または接続円板は、コイルスプリング以外に板バネや弾性ゴムなどの弾性を有する部材によって付勢してもよい。
【００８３】
（４）第２実施形態における係合部材Ｂは、他の構造のものに変更することもできる。
（５）発射ハンドル４のベース部材４１の内周面に雌ねじを形成し、取付部５０の筒部材５１の外周面に雄ねじを形成し、筒部材５１をベース部材４１にねじ込むことにより、発射ハンドル４を取付部５０に取付けるように構成してもよい。
（６）前記各実施形態において説明した発射ハンドル４および取付部５０の構成、構造、大きさ、形状および数値などは、各実施形態に記載したものに限定されるものではなく設計変更することができる。
【００８４】
［各請求項と実施形態との対応関係］
前枠本体２が、請求項１に記載の遊技機本体に対応し、ベース部材４１が第１の取付け部に対応し、取付部５０が第２の取付部に対応する。導電リング４６ａ，４６ｂ，４６ｃ、導電部材Ｄ１，Ｄ２，Ｄ３および導電部材７１，７２が第１の接続部に対応し、導電リング５２ａ，５２ｂ，５２ｃ、導電部材Ｅ１，Ｅ２，Ｅ３および導電部材８１，８２が第２の接続部に対応する。
ベース部材４１の後端部が請求項３に記載の凸部に対応し、取付部５０の内部が凹部に対応する。空間４１ｅが請求項６に記載の空間に対応し、コイルスプリング４８が付勢手段に対応し、接続端子４７が接続端子に対応する。バネ５６，５６が請求項７に記載のバネに対応し、接続円板５４が接続端子に対応する。
係合部材Ｂおよび係合凹部５１ａが、請求項９に記載の固定手段に対応する。タッチセンサＴＳが請求項１１に記載のセンサに対応し、発射スイッチＨＳがスイッチに対応する。第３の導電リング４６ｃが請求項１１に記載の第１の電極に対応し、第２の導電リング４６ｂが第２の電極に対応する。第６の導電リング５２ｃが第３の電極に対応し、第５の導電リング５２ｂが第４の電極に対応する。
【図面の簡単な説明】
【図１】この発明の第１実施形態のパチンコ機の外観を示す斜視説明図である。
【図２】図１に示すパチンコ機に備えられた発射ハンドルおよび発射装置の正面説明図である。
【図３】図３（Ａ）は、図２に示す発射ハンドルおよび発射装置の裏面説明図であり、図３（Ｂ）は、図３（Ａ）の左側面説明図である。
【図４】図４（Ａ）は、図２に示す発射ハンドルの裏面説明図であり、図４（Ｂ）は、図４（Ａ）のＡ−Ａ矢視断面説明図である。
【図５】図５（Ａ）は、図４（Ｂ）に示す発射ハンドルの第１の取付け部に備えられた接続端子が進出した状態を示す断面説明図であり、図５（Ｂ）は、図５（Ａ）に示す接続端子が退避した状態を示す断面説明図である。
【図６】図６（Ａ）は、図１に示すパチンコ機の前枠本体に備えられた取付け部の右側面断面説明図であり、図６（Ｂ）は、図６（Ａ）に示す取付け部の正面説明図である。
【図７】図７（Ａ）は、発射ハンドルを前枠本体に取付ける様子を示す説明図であり、図７（Ｂ）は、発射ハンドルが前枠本体に取付けられた状態を示す説明図である。
【図８】図８（Ａ）は、図７（Ａ）に示す様子を右側面から見た断面説明図であり、図８（Ｂ）は、図７（Ｂ）に示す状態を右側面から見た断面説明図である。
【図９】図１に示すパチンコ機の電気的構成の一部をブロックで示す説明図である。
【図１０】図１０（Ａ）は、第２実施形態のパチンコ機に備えられた発射ハンドルおよび取付部の縦断面説明図である。図１０（Ｂ）は、図１０（Ａ）に示すベース部材４１の上面の一部を拡大して示す説明図であり、図１０（Ｃ）は、図１０（Ａ）に示す取付部５０の上面の一部を拡大して示す説明図である。図１０（Ｄ）は、図１０（Ａ）に示す発射ハンドルの一部を拡大して示す説明図であり、図１０（Ｅ）は、図１０（Ａ）に示す取付部の一部を拡大して示す説明図である。
【図１１】発射ハンドルが取付部に取付けられた状態の右側面断面説明図である。
【図１２】図１２（Ａ）は、第３実施形態のパチンコ機に備えられた発射ハンドルおよび取付部の縦断面説明図であり、図１２（Ｂ）は、発射ハンドルが取付部に取付けられた状態を示す縦断面説明図であり、図１２（Ｃ）は、図１２（Ａ）の一部を拡大して示す説明図である。
【図１３】図１３（Ａ）は、第４実施形態のパチンコ機に備えられた発射ハンドルおよび取付部の縦断面説明図であり、図１３（Ｂ）は、発射ハンドルが取付部に取付けられた状態を示す縦断面説明図であり、図１３（Ｃ）は、図１３（Ａ）の一部を拡大して示す説明図である。
【図１４】図１４（Ａ）は、第５実施形態のパチンコ機に備えられた発射ハンドルの裏面説明図であり、図１４（Ｂ）は、図１４（Ａ）のＡ−Ａ矢視断面説明図である。
【図１５】図１５（Ａ）は、取付け部の右側面断面説明図であり、図１５（Ｂ）は、図１５（Ａ）に示す取付け部の正面説明図である。
【図１６】図１６（Ａ）は、第６実施形態のパチンコ機に備えられた発射ハンドルの裏面説明図であり、図１６（Ｂ）は、図１６（Ａ）のＡ−Ａ矢視断面説明図である。
【図１７】図１７（Ａ）は、取付け部の右側面断面説明図であり、図１７（Ｂ）は、図１７（Ａ）に示す取付け部の正面説明図である。
【図１８】図１８（Ａ）は、発射装置の分解斜視図であり、図１８（Ｂ）は、図１８（Ａ）の一部を拡大して示す説明図である。
【図１９】発射ハンドルが前枠本体に取付けられた状態の右側面断面説明図である。
【図２０】従来のパチンコ機に備えられた発射ハンドルおよび発射装置の構成を示す分解斜視図である。
【図２１】図２１（Ａ）は、従来のパチンコ機に備えられたハンドルの内部構造を一部の縦断面を含んで示す説明図であり、図２１（Ｂ）は、図２１（Ａ）に示すハンドルを右側面から見た説明図であり、図２１（Ｃ）は、図２１（Ａ）に示すハンドルをパチンコ機の前板に取付けた状態を一部の縦断面を含んで示す説明図である。
【符号の説明】
１    パチンコ機（遊技機）
２    前枠本体（遊技機本体）
３    遊技盤
４    発射ハンドル
４１    ベース部材（第１の取付け部）
４１ｅ  空間
４３    発射レバー
４５    可変抵抗器
４６    タッチセンサ
４６ａ  第１の導電リング（第１の接続部）
４６ｂ  第２の導電リング（第１の接続部）
４６ｃ  第３の導電リング（第１の接続部）
４７    接続端子
４８    コイルスプリング（付勢手段）
５０    取付部（第２の取付部）
５２ａ  第４の導電リング（第２の接続部）
５２ｂ  第５の導電リング（第２の接続部）
５２ｃ  第６の導電リング（第２の接続部）
５４    接続円板
【図１】
2004160046.tif 000003
【図２】
2004160046.tif 000004
【図３】
2004160046.tif 000005
【図４】
2004160046.tif 000006
【図５】
2004160046.tif 000007
【図６】
2004160046.tif 000008
【図７】
2004160046.tif 000009
【図８】
2004160046.tif 000010
【図９】
2004160046.tif 000011
【図１０】
2004160046.tif 000012
【図１１】
2004160046.tif 000013
【図１２】
2004160046.tif 000014
【図１３】
2004160046.tif 000015
【図１４】
2004160046.tif 000016
【図１５】
2004160046.tif 000017
【図１６】
2004160046.tif 000018
【図１７】
2004160046.tif 000019
【図１８】
2004160046.tif 000020
【図１９】
2004160046.tif 000021
【図２０】
2004160046.tif 000022
【図２１】
2004160046.tif 000023